(57)【要約】【課題】筐体の開閉に応じて報知音量が可変される場合でも、ユーザが報知音の発生を認識でき、必要な機会を失う虞の少ない移動無線端末装置を提供する。【解決手段】制御部１００は、開閉検出部９０の検出結果に基づいて、筐体が開いた状態で、発信動作中や発信操作の直後（経過時間がｎ未満）、発信動作の中断時、音声データの再生中など、利用者がレシーバ５０やパネルスピーカ５２に耳を当てている可能性が高い状態の場合に、聴覚保護音量を設定して、着信音やキー操作確認音、警告音を拡声出力し、一方、筐体が開いた状態でも動作状態が上記の状態にない場合には、Ｍａｘ制限音量で着信音やキー操作確認音、警告音を拡声出力するようにしたものである。【選択図】      図１
2011205715.tif 000002
【特許請求の範囲】
【請求項１】
開閉式の筐体を有する移動無線端末装置において、
利用者から発信の要求を受け付ける受付手段と、
この受付手段が要求を受け付けてからの経過時間を計測する計測手段と、
前記筐体の開閉状態を検出する開閉検出手段と、
報知音を拡声出力する拡声手段と、
この拡声手段から拡声出力される報知音の音量を制御するものであって、前記報知音を
拡声出力する場合に、前記開閉検出手段が閉じた状態にあることを検出した場合には、前
記音量を第１の音量に制御し、また前記開閉検出手段が開いた状態にあることを検出し、
かつ前記計測手段が計測した経過時間が予め設定した時間を経過した場合には、前記音量
を前記第１の音量よりも小さい第２の音量に制御し、そして前記開閉検出手段が開いた状
態にあることを検出し、かつ前記計測手段が計測した経過時間が予め設定した時間を経過
していない場合には、前記音量を前記第２の音量よりも小さい第３の音量に制御する音量
制御手段とを具備することを特徴とする移動無線端末装置。
【請求項２】
利用者から発信の要求を受け付ける受付手段と、
この受付手段が要求を受け付けてからの経過時間を計測する計測手段と、
報知音を拡声出力する拡声手段と、
この拡声手段から拡声出力される報知音の音量を制御するものであって、前記報知音を
拡声出力する場合に、前記計測手段が計測した経過時間が予め設定した時間を経過した場
合には、前記音量を前記第１の音量に制御し、そして前記計測手段が計測した経過時間が
予め設定した時間を経過していない場合には、前記音量を前記第１の音量よりも小さい第
２の音量に制御する音量制御手段とを具備することを特徴とする移動無線端末装置。
【発明の詳細な説明】
【技術分野】
【０００１】
この発明は、例えば携帯電話システムやＰＨＳ（Personal Handyphone System）などで
用いられ、特に開閉式の筐体を有する移動無線端末装置に関する。
【背景技術】
【０００２】
周知のように、移動無線端末装置は、受話用のスピーカとしてレシーバを備えるが、近
時これに加えて、表示部の利用者と対峙する面がスピーカとして機能するパネルスピーカ
を採用することが検討されている。このようなパネルスピーカによれば、従来より採用されるレシーバに比べて出力面積が広いため、利用者が耳への位置決めを容易に行えるとい
うメリットがある。
【０００３】
しかし、パネルスピーカを採用し、これより着信音やアラーム音を拡声出力する場合に
は、発信操作後に耳に当てた状態で、着信が発生したりアラーム音が発せられると、利用
者は耳元で突然発せられた報知音に驚くことがあるという問題があった。
【０００４】
これに対して従来は、折りたたみ式の移動無線端末装置の場合に、開いた状態にある場
合には、閉じた状態よりも小さな報知音を鳴らすようにしていた（例えば、特許文献１参
照）。
【０００５】
しかしながら、開いた状態にあるからといって、必ずしも利用者が耳に当てた状態にあるとは限らず、小さな音量で報知音が発せられるために、ユーザは着信の発生やアラーム
設定時刻の到来を認識できない虞があるという新たな問題が生じた。
【先行技術文献】
【特許文献】
【０００６】
【特許文献１】特開２００４−１７３０４９公報
【発明の概要】
【発明が解決しようとする課題】
【０００７】
従来の移動無線端末装置では、開いた状態で報知音が小さく発せられるように設定され
る場合に、ユーザは報知音の発生を認識できず、必要な機会を失う虞があるという問題が
あった。
【０００８】
この発明は上記の問題を解決すべくなされたもので、報知音量が可変される場合でも、ユーザが報知音の発生を認識しやすく、必要な機会を失う虞の少ない移動無線端末装置を提供することを目的とする。
【課題を解決するための手段】
【０００９】
上記の目的を達成するために、この発明は、開閉式の筐体を有する移動無線端末装置において、
利用者から発信の要求を受け付ける受付手段と、
この受付手段が要求を受け付けてからの経過時間を計測する計測手段と、
前記筐体の開閉状態を検出する開閉検出手段と、
報知音を拡声出力する拡声手段と、
この拡声手段から拡声出力される報知音の音量を制御するものであって、前記報知音を
拡声出力する場合に、前記開閉検出手段が閉じた状態にあることを検出した場合には、前
記音量を第１の音量に制御し、また前記開閉検出手段が開いた状態にあることを検出し、
かつ前記計測手段が計測した経過時間が予め設定した時間を経過した場合には、前記音量
を前記第１の音量よりも小さい第２の音量に制御し、そして前記開閉検出手段が開いた状
態にあることを検出し、かつ前記計測手段が計測した経過時間が予め設定した時間を経過
していない場合には、前記音量を前記第２の音量よりも小さい第３の音量に制御する音量
制御手段とを具備して構成するようにした。
【発明の効果】
【００１０】
この発明によれば、報知音量が可変される場合でも、ユーザが報知音の発生を認識しやすく、必要な機会を失う虞の少ない移動無線端末装置を提供できる。
【図面の簡単な説明】
【００１１】
【図１】この発明に係わる移動無線端末装置の一実施形態の構成を示す回路ブロック図。
【図２】図１に示した移動無線端末装置の着信時の音量制御を説明するためのフローチャート。
【図３】図１に示した移動無線端末装置のキー操作時の音量制御を説明するためのフローチャート。
【図４】図１に示した移動無線端末装置の警告時の音量制御を説明するためのフローチャート。
【図５】図１に示した移動無線端末装置の種々の状況における音量制御を説明するためのパラメータテーブルを示す図。
【図６】図１に示した移動無線端末装置の種々の状況における音量制御を説明するためのパラメータテーブルを示す図。
【発明を実施するための形態】
【００１２】
以下、図面を参照して、この発明の一実施形態について説明する。  
図１は、この発明の一実施形態に係わる移動無線端末装置の構成を示すものである。こ
の移動無線端末装置は、折りたたみ式の筐体構造となっており、アンテナ１、無線部１０、カメラ部２０、表示部３０、マイクロホン４０、レシーバ５０、スピーカ制御部５１、
パネルスピーカ５２、キー操作部６０、メモリ７０、充電検出部８０、開閉検出部９０、
制御部１００を備えている。
【００１３】
無線部１０は、アンテナ１が移動通信網に収容される無線基地局ＢＳから受信した無線
信号をダウンコンバートして復調し、通信相手局から送信された符号化音声データ、受信
メールデータあるいはｗｅｂデータを得て、これを制御部１００に出力する。また無線部
１０は、制御部１００から与えられる符号化音声データや送信メールデータを用いてベー
スバンド信号を変調し、これをアップコンバートして無線信号を生成し、アンテナ１を通じて上記無線基地局ＢＳに送信する。
【００１４】
カメラ部２０は、ＣＣＤ（Charge-Coupled Device）やＣＭＯＳ（Complementary Metal
Oxide Semiconductor）を用いた電子カメラであって、撮像した画像をエンコードして画
像データとして制御部１００に出力する。
【００１５】
表示部３０は、ＬＣＤ（Liquid Crystal Display）などを用いた表示装置であって、制
御部１００によって制御され、テキストや画像など種々の視覚的な情報をユーザに映示す
るものである。また表示部３０の利用者と対峙する表面には、パネルスピーカ５２が実装
される。
【００１６】
マイクロホン４０は、利用者の送話音声を集音し、送話音声信号に変換して制御部１０
０に出力する。レシーバ５０は、制御部１００から与えられる信号に基づいて、受話音声
や種々の報知音を拡声出力するスピーカである。スピーカ制御部５１は、制御部１００か
ら与えられる信号に基づいて、パネルスピーカ５２を駆動制御する。
【００１７】
キー操作部６０は、複数のキースイッチなどを備え、ユーザの要求を受け付けるもので
ある。  
メモリ７０は、制御部１００の制御プログラムや制御データ、電話番号、名称および顔
写真などの画像データを対応づけた電話帳データを記憶するとともに、送受信したメール
データや、カメラ部２０で撮像した画像データ、当該移動無線端末装置の動作設定のパラ
メータなどが記憶される。
【００１８】
充電検出部８０は、図示しない動作用のバッテリへの充電器接続を検出するものであり
、検出結果を制御部１００に通知する。充電器の接続が検出された場合には、図示しない
充電回路により、外部から供給される電力により上記バッテリの充電が開始される。
【００１９】
開閉検出部９０は、折りたたみ式の当該移動無線端末装置の筐体開閉を検出するもので
あり、検出結果を制御部１００に通知する。  
制御部１００は、当該移動無線端末装置の各部を統括して制御するものである。例えば
、制御部１００は、無線部１０が無線基地局から着信信号を受信した場合に、表示部３０を制御するとともに、レシーバ５０やスピーカ制御部５１を通じてパネルスピーカ５２を
制御して、着信の発生を報知するとともに、キー操作部６０を通じたユーザの応答操作に
より、上記着信に応答する信号を無線部１０に送信させ、音声通信リンクを確立する着信
制御機能を備える。
【００２０】
また制御部１００は、無線基地局ＢＳを通じて音声通信リンクが開設された場合には、
無線部１０にて復調された符号化音声データを復号して音声信号を再生し、レシーバ５０
やパネルスピーカ５２から拡声出力する。これにより、通話相手局からの送話音声がユー
ザに伝達される。また制御部１００は、マイクロホン４０から入力された音声信号を符号
化して符号化音声データを生成し、これを無線部１０に与えて、通話相手に送信させる。
【００２１】
さらに制御部１００は、電子メールの送受信制御機能を備える。キー操作部６０を通じ
た利用者からの指示に従って、送信メールを作成し、これをメモリ７０に記録する。そし
てキー操作部６０を通じた利用者からの要求に応じて、メモリ７０から上記送信メールを
読み出し、無線部１０を制御して、無線基地局ＢＳを通じて送信メールの送信を行う。
【００２２】
また制御部１００は、無線部１０が電子メールを受信した場合に、この受信メールをメ
モリ７０に記録する。そしてキー操作部６０を通じた利用者からの要求に応じて、メモリ
７０に記録した受信メールを読み出し、表示部３０に表示する。
【００２３】
その他、制御部１００は、ｗｅｂデータを閲覧するための制御機能、無線基地局ＢＳか
ら配信される情報を受信するための制御機能や、三者間通信が復帰した旨を報知するコー
ルウエイティング報知制御機能、スケジュールデータを管理する制御機能、スケジュール
に連動してアラーム音を拡声出力するスケジュールアラーム制御機能、時刻に応じてアラ
ーム音を拡声出力するアラーム制御機能、キッチンタイマのように短時間をカウントダウ
ンして時間経過を報知するタイマ制御機能、ユーザに警告を報知する警報制御機能、上記
バッテリの残量が閾値以下に低下したことを報知するローバッテリ警告制御機能、キー操
作部６０の操作を確認音として出力する制御機能、不在応答時にメモリ７０に記録した発
信者の音声データをメモリ７０に記録したり、この音声データを読み出して再生する簡易
留守録音制御機能、マイクロホン４０を通じて入力された音声をデータ化してメモリ７０
に記録し、この記録した音声データを読み出して再生する音声メモ制御機能などを備える
。
【００２４】
また制御部１００は、上述したような制御機能を実行する際に、音を発する動作が伴う
場合の動作を、メモリ７０に記憶される音量パラメータにしたがって、発する音の大きさ
を制御する機能を備える。音量パラメータとしては、ユーザ設定音量と、Ｍａｘ制限音量
と、聴覚保護用音量とがある。
【００２５】
ユーザ設定音量は、当該移動無線端末装置にて設定可能な音量レベル１〜５（５が最大
）、ステップアップ（徐々に大きくなる）、ステップダウン（徐々に小さくなる）のうち、ユーザが任意に設定した音量である。またＭａｘ制限音量は、ユーザ設定音量がレベル
１，２，３の場合はその設定音量に準じるが、その設定音量が例えばレベル４，５のいずれかに設定されている場合には、音量をレベル３とするものであり、ステップアップ、ス
テップダウンのいずれかに設定されている場合には、最大音量をレベル３として、音量レ
ベル１から３の間でステップダウン、ステップアップをするものである。聴覚保護用音量
は、予め設定されたレベル１よりも小さい音量である。
【００２６】
次に、上記構成の移動無線端末装置の動作について説明する。なお、以下の説明では、
無線基地局ＢＳとの間に通信リンクを確立する手順や、音声通信を実現するための制御、
電話帳データの登録や呼出、編集などの説明は省略し、制御部１００がメモリ７０が記憶
する音量パラメータにしたがって、音を発する動作制御について説明する。
【００２７】
図２は、着信時に関わる上記動作制御を説明するフローチャートである。このフローチ
ャートに示す処理は、着信が発生した場合に開始される。なお、このフローチャートに示
す制御を実現するための制御プログラムは、メモリ７０に記憶される。
【００２８】
まず、ステップ２ａにおいて制御部１００は、開閉検出部９０の検出結果に基づいて、
当該移動無線端末装置の筐体が閉じた状態にあるか、あるいは開いた状態にあるかを判定
する。ここで、筐体が閉じた状態にあると判定した場合には、ステップ２ｂに移行し、一
方、筐体が開いた状態にあると判定した場合には、ステップ２ｃに移行する。  
ステップ２ｂにおいて制御部１００は、着信用のユーザ設定音量パラメータをメモリ７
０から読み出し、これを着信音の音量として設定してステップ２ｉに移行する。
【００２９】
一方、ステップ２ｃにおいて制御部１００は、当該移動無線端末装置が発信動作中であるか否かを判定する。ここで、当該移動無線端末装置が発信動作中であると判定した場合
には、ステップ２ｈに移行し、一方、発信動作中でないと判定した場合には、ステップ２ｄに移行する。なお、発信動作中とは、制御部１００が無線部１０を発信のために制御す
る準備をしていたり、もしくは既にその制御を実施していたり、あるいは利用者がキー操
作部６０を操作して、電話帳データを呼び出したり、オフフックキーを操作して発信要求
を行った場合などが該当する。
【００３０】
ステップ２ｄにおいて制御部１００は、利用者がキー操作部６０を操作してこれに伴う
発信動作が終了してからの経過時間Ｔが、予め設定した時間ｎ未満か否かを判定する。こ
こで、上記経過時間Ｔが、予め設定した時間ｎ未満の場合には、ステップ２ｈに移行し、
一方、予め設定した時間ｎ以上の場合には、ステップ２ｅに移行する。なお、上記経過時
間Ｔは、制御部１００が利用者のキー操作部６０に対する発信要求に応動して、計時を開
始したものである。
【００３１】
ステップ２ｅにおいて制御部１００は、発信動作の中断中であるか否かを判定する。ここで発信動作の中断中の場合には、ステップ２ｈに移行し、一方、発信動作の中断中でない場合には、ステップ２ｆに移行する。なお、発信動作の中断中とは、発信要求があって
発信制御を開始したものの、その後、利用者からキー操作部６０を通じた要求により発信
を中断する処理を実施している状態などがこれに該当する。
【００３２】
ステップ２ｆにおいて制御部１００は、メモリ７０に記録された音声データ（留守録音、音声メモ）の再生中であるか否かを判定する。ここで上記音声データの再生中の場合に
は、ステップ２ｈに移行し、一方、上記音声データの再生中でない場合には、ステップ２ｇに移行する。
【００３３】
ステップ２ｇにおいて制御部１００は、着信用のＭａｘ制限音量パラメータをメモリ７
０から読み出し、これを着信音の音量として設定してステップ２ｉに移行する。  
ステップ２ｈにおいて制御部１００は、着信用の聴覚保護用音量パラメータをメモリ７
０から読み出し、これを着信音の音量として設定してステップ２ｉに移行する。
【００３４】
ステップ２ｉにおいて制御部１００は、設定された音量パラメータに基づく音量で、レ
シーバ５０やスピーカ制御部５１を通じてパネルスピーカ５２を制御して、着信の発生を
報知し、当該処理を終了する。
【００３５】
次に、キー操作時に関わる、音を発する動作制御について説明する。図３に、そのフローチャートを示す。このフローチャートに示す処理は、利用者がキー操作部６０を操作し
た場合に開始される。なお、このフローチャートに示す制御を実現するための制御プログ
ラムは、メモリ７０に記憶される。
【００３６】
まず、ステップ３ａにおいて制御部１００は、開閉検出部９０の検出結果に基づいて、
当該移動無線端末装置の筐体が閉じた状態にあるか、あるいは開いた状態にあるかを判定
する。ここで、筐体が閉じた状態にあると判定した場合には、ステップ３ｂに移行し、一
方、筐体が開いた状態にあると判定した場合には、ステップ３ｃに移行する。  
ステップ３ｂにおいて制御部１００は、キー操作用のユーザ設定音量パラメータをメモ
リ７０から読み出し、これをキー操作音の音量として設定してステップ３ｈに移行する。
【００３７】
一方、ステップ３ｃにおいて制御部１００は、当該移動無線端末装置が発信動作中であるか否かを判定する。ここで、当該移動無線端末装置が発信動作中であると判定した場合
には、ステップ３ｇに移行し、一方、発信動作中でないと判定した場合には、ステップ３
ｄに移行する。なお、発信動作中とは、制御部１００が無線部１０を発信のために制御す
る準備をしていたり、もしくは既にその制御を実施していたり、あるいは利用者がキー操
作部６０を操作して、電話帳データを呼び出したり、オフフックキーを操作して発信要求
を行った場合などが該当する。
【００３８】
ステップ３ｄにおいて制御部１００は、利用者がキー操作部６０を操作してこれに伴う
発信動作が終了してからの経過時間Ｔが、予め設定した時間ｎ未満か否かを判定する。こ
こで、上記経過時間Ｔが、予め設定した時間ｎ未満の場合には、ステップ３ｇに移行し、
一方、予め設定した時間ｎ以上の場合には、ステップ３ｅに移行する。なお、上記経過時
間Ｔは、制御部１００が利用者のキー操作部６０に対する発信要求に応動して、計時を開
始したものである。
【００３９】
ステップ３ｅにおいて制御部１００は、発信動作の中断中であるか否かを判定する。こ
こで発信動作の中断中の場合には、ステップ３ｇに移行し、一方、発信動作の中断中でない場合には、ステップ３ｆに移行する。なお、発信動作の中断中とは、発信要求があって
発信制御を開始したものの、その後、利用者からキー操作部６０を通じた要求により発信
を中断する処理を実施している状態などがこれに該当する。
【００４０】
ステップ３ｆにおいて制御部１００は、メモリ７０に記録された音声データ（留守録音
、音声メモ）の再生中であるか否かを判定する。ここで上記音声データの再生中の場合に
は、ステップ３ｇに移行し、一方、上記音声データの再生中でない場合には、ステップ３
ｂに移行する。
【００４１】
ステップ３ｇにおいて制御部１００は、キー操作用の聴覚保護用音量パラメータをメモ
リ７０から読み出し、これをキー操作音の音量として設定してステップ３ｈに移行する。
【００４２】
ステップ３ｈにおいて制御部１００は、設定された音量パラメータに基づく音量で、レ
シーバ５０やスピーカ制御部５１を通じてパネルスピーカ５２を制御して、キー操作の確
認音を発生させ、当該処理を終了する。
【００４３】
次に、アラームやタイマなどの警告音を発する動作制御について説明する。図４に、そのフローチャートを示す。このフローチャートに示す処理は、アラーム設定時刻が到来し
たり、タイマのカウントが完了したり、利用者に対してなんらかの警告を行う必要が発生
した場合などに開始される。なお、このフローチャートに示す制御を実現するための制御
プログラムは、メモリ７０に記憶される。
【００４４】
まず、ステップ４ａにおいて制御部１００は、開閉検出部９０の検出結果に基づいて、
当該移動無線端末装置の筐体が閉じた状態にあるか、あるいは開いた状態にあるかを判定
する。ここで、筐体が閉じた状態にあると判定した場合には、ステップ４ｂに移行し、一
方、筐体が開いた状態にあると判定した場合には、ステップ４ｃに移行する。  
ステップ４ｂにおいて制御部１００は、警告用のユーザ設定音量パラメータをメモリ７
０から読み出し、これを警告音の音量として設定してステップ４ｉに移行する。
【００４５】
一方、ステップ４ｃにおいて制御部１００は、当該移動無線端末装置が発信動作中であるか否かを判定する。ここで、当該移動無線端末装置が発信動作中であると判定した場合
には、ステップ４ｈに移行し、一方、発信動作中でないと判定した場合には、ステップ４ｄに移行する。なお、発信動作中とは、制御部１００が無線部１０を発信のために制御す
る準備をしていたり、もしくは既にその制御を実施していたり、あるいは利用者がキー操
作部６０を操作して、電話帳データを呼び出したり、オフフックキーを操作して発信要求
を行った場合などが該当する。
【００４６】
ステップ４ｄにおいて制御部１００は、利用者がキー操作部６０を操作してこれに伴う
発信動作が終了してからの経過時間Ｔが、予め設定した時間ｎ未満か否かを判定する。こ
こで、上記経過時間Ｔが、予め設定した時間ｎ未満の場合には、ステップ４ｈに移行し、
一方、予め設定した時間ｎ以上の場合には、ステップ４ｅに移行する。なお、上記経過時
間Ｔは、制御部１００が利用者のキー操作部６０に対する発信要求に応動して、計時を開
始したものである。
【００４７】
ステップ４ｅにおいて制御部１００は、発信動作の中断中であるか否かを判定する。こ
こで発信動作の中断中の場合には、ステップ４ｈに移行し、一方、発信動作の中断中でな
い場合には、ステップ４ｆに移行する。なお、発信動作の中断中とは、発信要求があって
発信制御を開始したものの、その後、利用者からキー操作部６０を通じた要求により発信
を中断する処理を実施している状態などがこれに該当する。
【００４８】
ステップ４ｆにおいて制御部１００は、メモリ７０に記録された音声データ（留守録音
、音声メモ）の再生中であるか否かを判定する。ここで上記音声データの再生中の場合に
は、ステップ４ｈに移行し、一方、上記音声データの再生中でない場合には、ステップ４
ｇに移行する。
【００４９】
ステップ４ｇにおいて制御部１００は、警告用のＭａｘ制限音量パラメータをメモリ７
０から読み出し、これを警告音の音量として設定してステップ４ｉに移行する。  
ステップ４ｈにおいて制御部１００は、警告用の聴覚保護用音量パラメータをメモリ７
０から読み出し、これを警告音の音量として設定してステップ４ｉに移行する。
【００５０】
ステップ４ｉにおいて制御部１００は、設定された音量パラメータに基づく音量で、レ
シーバ５０やスピーカ制御部５１を通じてパネルスピーカ５２を制御して、警告音を発生
させ、当該処理を終了する。
【００５１】
なお、当該移動無線端末装置は、筐体が開いた状態で放置された場合、ユーザ設定音量
よりも小さな音量が設定されることになるが、図２乃至図４に示した処理とは別に、制御
部１００は、筐体が開いた状態の継続時間を計測し、予め設定した時間以上、筐体が開いた状態にあると、レシーバ５０やスピーカ制御部５１を通じてパネルスピーカ５２を制御
して、警告音を発生させ、筐体が開いた状態のままになることを防止する。
【００５２】
以上のように、上記構成の移動無線端末装置では、筐体が開いた状態で、発信動作中や
発信動作の終了直後（経過時間がｎ未満）、発信動作の中断時、音声データの再生中など
、利用者がレシーバ５０やパネルスピーカ５２に耳を当てている可能性が高い状態の場合
に、聴覚保護音量を設定して、着信音やキー操作確認音、警告音を拡声出力し、一方、筐
体が開いた状態でも動作状態が上記の状態にない場合には、Ｍａｘ制限音量で着信音やキ
ー操作確認音、警告音を拡声出力するようにしている。
【００５３】
したがって、上記構成の移動無線端末装置によれば、筐体の開いた状態であっても、一
様に音を小さくするわけではないので、筐体の開閉に応じて報知音量が可変される場合で
も、利用者は報知音の発生を認識でき、必要な機会を失う虞の少ない。
【００５４】
なお、この発明は上記実施形態そのままに限定されるものではなく、実施段階ではその
要旨を逸脱しない範囲で構成要素を変形して具体化できる。また上記実施形態に開示され
ている複数の構成要素を適宜組み合わせることによって種々の発明を形成できる。また例
えば、実施形態に示される全構成要素からいくつかの構成要素を削除した構成も考えられ
る。さらに、異なる実施形態に記載した構成要素を適宜組み合わせてもよい。
【００５５】
その一例として例えば、上記実施の形態では、着信音やキー操作確認音、警告音を拡声
出力する状況でも動作を例に挙げて説明したが、これ以外の状況にも適用することができ
る。その一例を図５および図６に示す。
【００５６】
この場合、制御部１００は、図５および図６に示すような音を発する場合に、この表で
示すようなパラメータテーブルに基づいて音を発する。このパラメータテーブルは、メモ
リ７０に記憶される。
【００５７】
この音量テーブルは、当該移動無線端末装置の筐体が閉じた状態（クローズ状態）にあ
るか、あるいは開いた状態（オープン状態）にあるかで、予め設定された音量で種々の状
況に応じた音を拡声出力するためのものである。図５および図６において、「（オープン
時）」と示される項目は、筐体の開閉状態を問わないものである。
【００５８】
また上記の実施形態では、聴覚保護音量と称しているが、聴覚保護用音量パラメータは、Ｍａｘ制限音量パラメータよりも意図的に大きく設定するようにしてもよい。この場合、筐体が開いた状態で、発信動作中や発信操作の直後（経過時間がｎ未満）、発信動作の
中断時、音声データの再生中など、利用者が周囲にいる可能性が高い状況の場合には、大きな音で呼び出しを行い、一方、筐体が開いた状態でも動作状態が上記の状態にない場合、すなわち利用者が周囲にいない可能性の高い場合には、上記聴覚保護音量よりも小さい
Ｍａｘ制限音量で着信音やキー操作確認音、警告音を拡声出力するようにして、周囲に迷
惑がかからないようにすることができる。
【００５９】
また上記実施の形態では、レシーバ５０とパネルスピーカ５２とから同時に拡声出力するものとして説明したが、状況に応じていずれか一方から選択的に拡声出力するようにし
たり、あるいは状況に応じて、一方から拡声出力したり、両方から拡声出力するようにし
てもよい。
【００６０】
例えば、ユーザ設定音量で拡声出力する場合（閉じた状態の場合）には、パネルスピー
カ５２から拡声出力し、一方、Ｍａｘ制限音量や聴覚保護音量で拡声出力する場合（開いた状態の場合）には、レシーバ５０から拡声出力するようにする。
【００６１】
あるいは、Ｍａｘ制限音量で拡声出力する場合（利用者が耳に当てている可能性が低い
場合）には、パネルスピーカ５２から拡声出力し、一方、聴覚保護音量で拡声出力する場
合（利用者が耳に当てている可能性が高い場合）には、レシーバ５０から拡声出力するよ
うにする。
【００６２】
また例えば、ユーザ設定音量で拡声出力する場合（閉じた状態の場合）には、レシーバ
５０とパネルスピーカ５２とから同時に拡声出力し、一方、Ｍａｘ制限音量や聴覚保護音
量で拡声出力する場合（開いた状態の場合）には、レシーバ５０のみから拡声出力するよ
うにする。
【００６３】
あるいは、Ｍａｘ制限音量で拡声出力する場合（利用者が耳に当てている可能性が低い
場合）には、レシーバ５０とパネルスピーカ５２とから同時に拡声出力し、一方、聴覚保
護音量で拡声出力する場合（利用者が耳に当てている可能性が高い場合）には、レシーバ
５０のみから拡声出力するようにする。
【００６４】
また上記実施の形態では、レシーバ５０とパネルスピーカ５２とから同時に拡声出力するものとして説明したが、利用者の要求に応じていずれか一方を制御部１００が用いる構
成とし、パネルスピーカ５２を用いる場合にのみ、図２乃至図４に示した処理を実行する
ようにしてもよい。  
その他、この発明の要旨を逸脱しない範囲で種々の変形を施しても同様に実施可能であることはいうまでもない。
【符号の説明】
【００６５】
１０…無線部、２０…カメラ部、３０…表示部、４０…マイクロホン、５０…レシーバ、５１…スピーカ制御部、５２…パネルスピーカ、６０…キー操作部、７０…メモリ、８
０…充電検出部、９０…開閉検出部、１００…制御部、ＢＳ…無線基地局。
【図１】
2011205715.tif 000003
【図２】
2011205715.tif 000004
【図３】
2011205715.tif 000005
【図４】
2011205715.tif 000006
【図５】
2011205715.tif 000007
【図６】
2011205715.tif 000008